(57)【要約】【課題】  複数の検査物に対して同時または平行して検査を行うことが可能な放射能検査装置を提供する。【解決手段】  放射能検査装置は、複数の検査ユニットＵ１〜Ｕｎと、これら複数の検査ユニットＵを制御するコンピュータ１１とから構成される。検査ユニットＵ１〜Ｕｎの各々には放射線検出器２３が配設されており、各検査ユニットＵ１〜Ｕｎとコンピュータ１１とは、通信回線ＣＬを介して、互いに通信可能に接続されている。また、コンピュータ１１は、入力装置１５および表示装置１２に接続されるとともに、通信回線ＣＬを介して印刷装置３０とも接続されている。【選択図】  図１
0003183084.tif 000002
【実用新案登録請求の範囲】
【請求項１】
被検体から放射される放射線を検出する放射線検出器が配設された複数の検査ユニットと、
入力装置と、表示装置とに接続されるとともに、前記複数の検査ユニットと通信回線を通じて接続されたコンピュータと、を備え、
前記コンピュータは、前記複数の検査ユニットの各々において前記放射線検出器が検出した検出値に基づいて、前記複数の検査ユニットの各々で検査された前記被検体ごとに検査合否を判定することを特徴とする放射能検査装置。
【請求項２】
請求項１に記載の放射能検査装置において、
前記コンピュータは、前記複数の検査ユニットに対して検査を開始または停止させる指令信号を送信するための制御ボタンを前記表示装置に表示する放射能検査装置。
【請求項３】
請求項１に記載の放射能検査装置において、
前記コンピュータは、前記被検体の判定結果を表示する結果表示領域を前記複数の検査ユニットに対応付けて複数設けた画面を前記表示装置に表示する放射能検査装置。
【請求項４】
請求項３に記載の放射能検査装置において、
前記コンピュータは、前記複数の検査ユニットのうち、前記コンピュータからの指令信号により検査の開始または停止が制御される制御対象検査ユニットを選択するための検査ユニット選択ボタンを前記表示装置に表示するとともに、前記検査ユニット選択ボタンにより選択された検査ユニットに対して、検査を開始または停止する指令信号を送信するための制御ボタンを前記表示装置に表示する放射能検査装置。
【請求項５】
請求項３に記載の放射能検査装置において、
前記コンピュータは、前記表示装置に表示された複数の結果表示領域のうちのいずれか１つが、前記入力装置からの入力により選択されたときに、選択された結果表示領域を前記表示装置に表示するとともに、選択された結果表示領域に対応する検査ユニットに対して、検査を開始または停止する指令信号を送信するための制御ボタンを前記表示装置に表示する放射能検査装置。
【請求項６】
請求項１に記載の放射能検査装置において、
前記コンピュータは、複数の被検体の結果を一括して俯瞰できるグラフを前記表示装置に表示する放射能検査装置。
【請求項７】
請求項１から請求項６のいずれかに記載の放射能検査装置において、
前記コンピュータは、印刷装置に接続され、
前記コンピュータは、前記複数の検査ユニットの各々で検査された前記被検体ごとの判定結果を記憶するとともに、前記被検体ごとの判定結果を前記印刷装置に印刷させる放射能検査装置。
【考案の詳細な説明】
【技術分野】
【０００１】
この考案は、食品放射線スクリーニング検査装置等の放射能検査装置に関する。
【背景技術】
【０００２】
食品の放射線スクリーニング検査を行う放射能検査装置としては、例えば、放射線検出器としてＮａＩシンチレーションカウンタを用いた装置や、Ｇｅ半導体を用いた装置が採用されている。
【０００３】
なお、特許文献１には、医療用器具や食品中の異物などを非破壊で検査するための放射線検査装置が開示されている。また、特許文献２には、核燃料施設で使用された物品等の放射能汚染を検査する放射能検査装置が開示されている。
【先行技術文献】
【特許文献】
【０００４】
【特許文献１】特開２００３−１３０８１７号公報
【特許文献２】特開２００７−２２５５０７号公報
【考案の開示】
【考案が解決しようとする課題】
【０００５】
食品の放射線スクリーニング検査では、生産物の鮮度を損なわずにできるだけ速く市場に流通させるため、地域の集荷場などに集められる大量の生産物の検査を、短時間で完了できることが要請されている。しかしながら、特許文献１や特許文献２に記載されたようなコンベア式の放射能検査装置は、例えば、３０キログラム入りの包装袋にいれられた玄米のように、出荷単位重量が重く、均一性の高い農産物に適した装置構成となっていることが多い。このような構成の装置で、出荷単位重量が軽く体積が小さい農産物を検査しようとすると、装置のスループットが低下し、検査に時間がかかるという問題が生じる。
【０００６】
また、例えばＧｅ半導体を用いた装置のように、１台の装置で一度に１つの検査物しか検査できない放射能検査装置では、食品の放射線スクリーニング検査で必要とされるスループットを実現できない場合が多い。このため、より効率的に複数の検査物に対して検査を行うことが可能なスループットの高い放射能検査装置が要請されている。
【０００７】
この考案は上記課題を解決するためになされたものであり、複数の検査物に対して同時または平行して検査を行うことが可能な放射能検査装置を提供することを目的とする。
【課題を解決するための手段】
【０００８】
請求項１に記載の考案は、被検体から放射される放射線を検出する放射線検出器が配設された複数の検査ユニットと、入力装置と、表示装置とに接続されるとともに、前記複数の検査ユニットと通信回線を通じて接続されたコンピュータと、を備え、前記コンピュータは、前記複数の検査ユニットの各々において前記放射線検出器が検出した検出値に基づいて、前記複数の検査ユニットの各々で検査された前記被検体ごとに検査合否を判定することを特徴とする。
【０００９】
請求項２に記載の考案は、請求項１に記載の考案において、前記コンピュータは、前記複数の検査ユニットに対して検査を開始または停止させる指令信号を送信するための制御ボタンを前記表示装置に表示する。
【００１０】
請求項３に記載の考案は、請求項１に記載の考案において、前記コンピュータは、前記被検体の判定結果を表示する結果表示領域を前記複数の検査ユニットに対応付けて複数設けた画面を前記表示装置に表示する。
【００１１】
請求項４に記載の考案は、請求項３に記載の考案において、前記コンピュータは、前記複数の検査ユニットのうち、前記コンピュータからの指令信号により検査の開始または停止が制御される制御対象検査ユニットを選択するための検査ユニット選択ボタンを前記表示装置に表示するとともに、前記検査ユニット選択ボタンにより選択された検査ユニットに対して、検査を開始または停止する指令信号を送信するための制御ボタンを前記表示装置に表示する。
【００１２】
請求項５に記載の考案は、請求項３に記載の考案において、前記コンピュータは、前記表示装置に表示された複数の結果表示領域のうちのいずれか１つが、前記入力装置からの入力により選択されたときに、選択された結果表示領域を前記表示装置に表示するとともに、選択された結果表示領域に対応する検査ユニットに対して、検査を開始または停止する指令信号を送信するための制御ボタンを前記表示装置に表示する放射能検査装置。
【００１３】
請求項６に記載の考案は、請求項１に記載の考案において、前記コンピュータは、複数の被検体の結果を一括して俯瞰できるグラフを前記表示装置に表示する。
【００１４】
請求項７に記載の考案は、請求項１から請求項６のいずれかに記載の考案において、前記コンピュータは、印刷装置に接続され、前記コンピュータは、前記複数の検査ユニットの各々で検査された前記被検体ごとの判定結果を記憶するとともに、前記被検体ごとの判定結果を前記印刷装置に印刷させる。
【考案の効果】
【００１５】
請求項１に記載の考案によれば、複数の検査ユニットを備え、コンピュータが複数の検査ユニットの各々で検査された被検体ごとに検査合否を判定することから、一度に多数の被検体を、同時または平行して検査することが可能となる。このため、重量が軽い野菜や果実などの大量の農産物を効率的に検査することでき、農産物に対して包装単位で全てスクリーニング検査を実行する場合においても、検査を従来よりも短時間で完了することが可能となる。
【００１６】
請求項２に記載の考案によれば、コンピュータが、複数の検査ユニットに対して、検査を開始または停止させる指令信号を送信するための制御ボタンを表示装置に表示することから、複数の検査ユニットに対して、操作者は制御ボタンを操作することにより、コンピュータと通信可能に接続されている全ての検査ユニットの計測制御を一括して行うことが可能となる。このため、大量の被検体に対する検査をより効率的に行うことが可能となる。
【００１７】
請求項３に記載の考案によれば、コンピュータが、被検体の判定結果を表示する結果表示領域を複数の検査ユニットに対応付けて複数設けた画面を表示装置に表示することから、各検査ユニットの複数の検査結果を、同一画面上に表示することができ、検査結果の確認を効率的に行うことが可能となる。
【００１８】
請求項４および請求項５に記載の考案によれば、複数の検査ユニットのうち、計測制御を行いたい検査ユニットを表示装置の画面から選択可能な構成を備えることから、選択された検査ユニットに対して個別に計測制御を行うことが可能となる。
【００１９】
請求項６に記載の考案によれば、コンピュータは、複数の被検体の検査結果を一括して俯瞰できるグラフ、例えば、複数の被検体の検査結果を度数表にまとめ、ヒストグラムを作成して表示装置に表示することから、検査者は、複数の被検体の検査結果を視覚的に容易に理解することができる。このように複数の被検体の検査結果を図表化して表示装置に表示することにより、検査された複数の被検体の放射性物質による全体的な汚染傾向を検査者に示すことが可能となる。
【００２０】
請求項７に記載の考案によれば、コンピュータが印刷装置に接続されていることから、被検体ごとの判定結果を、被検体に対応づけて印刷することが可能となる。
【図面の簡単な説明】
【００２１】
【図１】この考案に係る放射能検査装置の概要図である。
【図２】この考案に係る放射能検査装置の制御系を示すブロック図である。
【図３】表示装置１２に表示される検査の結果表示画面の一例を示す画面構成図である。
【図４】表示装置１２に表示される検査の結果表示画面の一例を示す画面構成図である。
【図５】表示装置１２に表示される検査の結果表示画面の一例を示す画面構成図である。
【図６】表示装置１２に表示される検査の結果表示画面の一例を示す画面構成図である。
【考案を実施するための形態】
【００２２】
以下、この考案の実施の形態を図面に基づいて説明する。図１は、この考案に係る放射能検査装置の概要図である。
【００２３】
この放射能検査装置は、１〜ｎ番の番号が割り当てられた複数の検査ユニットＵ１〜Ｕｎ（以下、ｎ個の検査ユニットを総称して検査ユニットＵと記載する）と、これら複数の検査ユニットＵを制御するコンピュータ１１とから構成される。各検査ユニットＵとコンピュータ１１とは、通信回線ＣＬを介して、互いに通信可能に接続されている。
【００２４】
各検査ユニットＵは、放射線の遮蔽効果を有する材料から構成された筐体２１内に、被検体Ｒから放射される放射線を検出するための放射線検出器２３が配設されている。放射線検出器２３の上方には、被検体Ｒを載置するための載置台２２が設けられており、被検体Ｒは、筐体２１の正面側に設けられた図示を省略した扉から搬入され、載置台２２に載置された状態で検査される。なお、検査ユニット内での放射線検出器２３の向きは上方向に限定されない。また放射線検出器２３の向きが下方向である場合などには載置台２２は不要であるため、検査ユニットＵの構成は載置台２２の有無に限定されるものではない。また被写体Ｒの検査ユニットＵへの設置は、複数の検査ユニットを同時に昇降させることも可能である為、筐体の扉からの搬入に限定されるものではない。
【００２５】
放射線検出器２３は、例えば、シンチレータとフォトマルチプライヤーとを組み合わせることにより被検体Ｒから放射され、載置台２２を透過した放射線を検出可能に構成されている。また、放射線検出器２３には、フォトマルチプライヤーからの信号をデジタル信号に変換して出力する変換回路が設けられ、放射線の検出信号が、通信回線ＣＬを介してコンピュータ１１に、逐次送信される。なお、この実施形態では、１台の検査ユニットＵに放射線検出器２３を１個配設しているが、１台の検査ユニットにおける放射線検出器の数や配設位置はこれに限定されるものではない。
【００２６】
コンピュータ１１は、記憶装置であるＲＡＭ、ＲＯＭ、磁気ディスク（ＨＤＤ）および演算装置であるＣＰＵを備え、この放射能検査装置の全体の動作を制御する制御手段として機能する。また、このコンピュータ１１は、液晶ディスプレイなどの表示装置１２と、マウス１３やキーボード１４から構成される入力装置１５と接続される。また、表示装置１２がタッチパネル機能を有する場合には、このタッチパネル機能も、この放射線検査装置の入力装置となる。コンピュータ１１は、各検査ユニットと通信回線ＣＬを介して、相互に通信可能に接続されるとともに、印刷装置３０とも、通信回線ＣＬを介して接続されている。なお、コンピュータ１１の記憶装置・演算装置、入力装置１５の数や種類、配置位置は限定されるものではない。
【００２７】
図２は、この考案に係る放射能検査装置の制御系を示すブロック図である。
【００２８】
コンピュータ１１は、機能的構成として、各検査ユニットＵから送信される信号を受信するデータ受信部１１１と、各検査ユニットＵで検査された被検体Ｒごとに検査合否を判定する判定部１１２と、放射線の計測状況や検査合否判定結果の表示装置１２への表示を制御する表示制御部１１３と、各検査ユニットＵの各放射線検出器２３による放射線計測の開始および停止信号を出力する計測制御部１１４と、印刷装置３０に対する検査合否判定結果の印刷実行信号を出力する印刷制御部１１５と、各種データを格納する記憶部１１６を備える。なお、これらの機能的構成は、この放射能検査装置の制御用ソフトウェアとしてコンピュータ１１の記憶媒体に記憶され、各機能単位のプログラムをＲＡＭ、ＲＯＭ、ＣＰＵを利用して動作させることにより、各機能が実現される。
【００２９】
データ受信部１１１は、各検査ユニットＵから送信される放射線検出器２３が検出した放射線の検出信号を受信するとともに、検査ユニットＵごとに検出された放射線をカウントし、単位時間当たりの放射線のカウント数である計数率（ｃｐｓ）を算出する。
【００３０】
判定部１１２は、放射線検出器２３が検出した放射線の検出値に基づいて、検査ユニットＵの各々で検査された被検体Ｒごとに検査合否を判定する。より具体的には、まず、データ受信部１１１において求められた放射線の計数率（ｃｐｓ）と被検体Ｒの重量を用いて、各被検体Ｒの放射能濃度（Ｂｑ／ｋｇ）を求める。そして、判定部１１２において、被検体Ｒの放射能濃度（Ｂｑ／ｋｇ）がスクリーニングレベルなどの判定基準（例えば、５０Ｂｑ／ｋｇ）以上の値であれば、その被検体Ｒは検査不合格であると判定され、判定基準を超えない値であれば、その被検体Ｒは検査合格であると判定される。なお、各被検体の放射能濃度および検査合否の判定結果は、各検査ユニットＵを識別するユニット番号および各検査ユニットＵにおいて検査が行われた順番で各被検体Ｒに与えられるＩＤ番号に関連付けて、記憶部１１６に記憶される。
【００３１】
表示制御部１１３は、表示装置１２に操作受付が可能な状態で表示される各種表示変更ボタンが、操作者により入力装置１５を用いて操作されるのに応じて、記憶部１１６に記憶されている検査の結果表示画面などの画面を呼び出し、それらの画面を遷移させるとともに、変化するデータを表示する領域として定義されている画面の領域に対して、その領域に関連付けられたデータを記憶部１１６から呼び出して挿入する。
【００３２】
計測制御部１１４は、表示装置１２に操作受付が可能な状態で表示される各検査ユニットＵの放射線検出器２３による放射線計測の開始または停止に関連付けられた選択ボタンが、操作者により入力装置１５を用いて選択されたときに、各検査ユニットＵに対して、放射線計測の開始または停止の実行を指令する信号を出力する。
【００３３】
印刷制御部１１５は、各検査ユニットＵで検査された被検体ＲのＩＤ番号と対応させながら、各被検体Ｒの検査結果の印刷を、印刷装置３０に実行させる。この印刷実行動作は、各検査ユニットＵで１の被検体Ｒが検査され、検査結果が記憶部１１６に記憶されるごとに行わせるようにしてもよく、所定数量の被検体Ｒの検査が終了するごとに、行わせるようにしてもよい。なお、この印刷制御部１１５により、印刷の実行が制御される印刷装置３０としては、例えば、各被検体Ｒの検査結果をシール材に印刷する、いわゆるラベルライターや、各被検体Ｒの検査結果を、「合格」「不合格」などの文字やマークで被検体Ｒの包装容器に刻印する打刻機などが使用できる。
【００３４】
上述した構成を有する放射線検査装置における、表示装置１２への検査結果の表示の態様を、図３から図６を参照してさらに説明する。図３から図６は、表示装置１２に表示される検査の結果表示画面の一例を示す画面構成図である。なお、図３から図６においては、４個の検査ユニットＵがコンピュータ１１と通信可能な状態で接続されている場合を示している。
【００３５】
表示装置１２に表示される検査の結果表示画面には、検査ユニットＵに電源が投入され、コンピュータ１１と通信可能な状態にある検査ユニットＵが表示される検査ユニット表示領域１３１と、判定部１１２における検査合否の判定結果が表示される結果表示領域１４０と、検査中の放射線の計数率をリアルタイムで表示するリアルタイムカウント表示領域１３２と、現在表示されている結果表示画面から、検査合否の判定基準値や検査時間の設定を変更する編集画面に移動可能とするメニューボタン１３３がレイアウトされている。
【００３６】
図３に示す結果表示領域１４０には、検査ユニット表示領域１３１に表示された検査ユニットＵ１〜Ｕ４ごとの検査結果を表示する個別領域１４１〜１４４がさらに設けられ、各検査ユニットＵ１〜Ｕ４で検査された被検体ＲのＩＤ番号、放射能濃度（Ｂｑ／ｋｇ）とともに、検査合否の判定結果が表示される。この実施形態では、判定部１１２において被検体Ｒの放射能濃度が判定基準を超えていないと判定されたときは「○」、判定基準以上であると判定されたときは「×」を、各個別領域１４１〜１４４に、検査合否の判定結果として表示している。
【００３７】
また、図３の画面では、結果表示領域１４０の下側に、この結果表示領域１４０に検査結果が表示されている検査ユニットＵ１〜Ｕ４の全てに対して、一括して検査開始と停止を行うことを可能とする選択ボタン１４５、１４６が表示される。この検査開始と停止の選択ボタン１４５、１４６は、各検査ユニットＵ１〜Ｕ４内の被検体Ｒに対する放射線計測が終了した後に、検査結果が記憶部１１６に記憶され、次の被検体Ｒに対する検査の準備が整ったときに画面表示される。なお、図３の画面は、次の被検体Ｒに対する検査の準備が整った状態の画面であり、各検査ユニットＵ１〜Ｕ４に対応する個別領域１４１〜１４４には、前の被検体Ｒの検査結果がそのまま表示されている。
【００３８】
検査開始の選択ボタン１４５が操作者により入力装置１５を用いて選択されると、各検査ユニットＵ１〜Ｕ４の放射線検出器２３による放射線の計測が開始されるとともに、画面では、放射線検出器２３による放射線の計測を停止させるための選択ボタン１４６が選択可能な状態で表示される。また、リアルタイムカウント表示領域１３２には、検査ユニットＵ１〜Ｕ４ごとのリアルタイムの放射線の計数率（ｃｐｓ）が、異なる色で区別された折れ線グラフとして表示される。
【００３９】
検査が開始されてから予め設定した時間が経過したとき、または、検査途中で選択ボタン１４６が操作者により入力装置１５を用いて選択されたとき、または、スクリーニングに関わる統計的条件を満たしたときに、検査は終了する。検査が終了すると、図４に示すように、各検査ユニットＵ１〜Ｕ４に対応する結果表示領域１４０の表示内容が更新される。なお、検査ユニットＵ内に被検体Ｒが載置されていない場合には、個別領域１４２のように「検査物が入っていません」などのメッセージが表示される。検査終了直後など、次の検査の準備が整っていない状態では、図４に示すように、選択ボタン１４５、１４６は表示しないように表示制御してもよい。
【００４０】
このように、この実施形態では、被検体Ｒの検査合否の判定結果を表示する結果表示領域１４０に、各検査ユニットＵに対応づけられた結果表示領域を複数設けた画面を表示装置１２に表示させることにより、複数の検査ユニットＵでの検査結果を、１の画面で同時に提示することが可能である。さらに、操作者が個別領域１４１〜１４４を個別にマウス１３でダブルクリックすることにより、ラベルライターなどの印刷装置３０に個別の検査結果を印刷させるようにしてもよい。
【００４１】
また、検査ユニット表示領域１３１に表示された検査ユニットＵの１つが、操作者により入力装置１５を用いて選択されると、選択された検査ユニットＵ１（図５の検査ユニット表示領域１３１内に太枠で示す）の検査結果のみが結果表示領域１４０に表示される。すなわち、検査ユニットＵ１の検査結果を表示する個別領域１４１のみが、結果表示領域１４０に拡大された状態で表示される。
【００４２】
なお、拡大表示された検査ユニットＵ１の個別領域１４１の下方に表示される検査開始および停止の選択ボタン１４５、１４６は、図３に示す画面の場合とは異なり、検査ユニットＵ１のみに対して、検査開始および停止を行うことを可能とするものである。すなわち、図３に示す画面は、結果表示領域１４０に複数の検査結果を表示することで、複数の検査ユニットＵの計測制御を一括して行う一括制御モード画面となり、図５に示す画面は、結果表示領域１４０に１の検査結果を表示することで、各検査ユニットＵの計測制御を個別に行う個別制御モード画面となる。
【００４３】
このように、この実施形態においては、検査ユニット表示領域１３１内の各検査ユニットＵに対応する表示が、コンピュータ１１の機能的構成である計測制御部１１５からの指令信号により、検査開始と停止が制御される制御対象検査ユニットＵを選択するための選択ボタンとして機能する。なお、検査ユニット表示領域１３１における各検査ユニットＵに対応する表示としては、例えば、結果表示領域１４０に配置された個別領域１４１〜１４４の縮小画像を採用することもできる。
【００４４】
また、結果表示領域１４０の個別領域１４１〜１４４を、制御対象検査ユニットＵを選択するための選択ボタンとして機能させるよう構成し、個別領域１４１〜１４４のいずれかが操作者により選択されたときに、図５に示すように、選択された個別領域のみを拡大表示し、その個別領域に対応する検査ユニットＵのみに対して検査開始および停止を行うことを可能とする選択ボタン１４５、１４６を表示するようにしてもよい。
【００４５】
また、図５に示す個別制御モード画面から、メニューボタン１３３が選択されると、画面を選択されている検査ユニットＵの検査時間などの設定編集画面に移動できるように画面遷移を設定することで、各検査ユニットＵの検査時間を個別に設定し、各検査ユニットＵ間で異なる種類、大きさの被検体Ｒを、平行して検査することも可能となる。
【００４６】
さらに、この実施形態では、結果表示領域１４０には、各検査ユニットＵに対応した検査結果に替えて、この放射線検査装置で検査された全ての被検体Ｒの検査結果を集計したもの、あるいは、検査された被検体Ｒのうち、検査ユニットＵごとの検査結果を集計したものを、総合検査結果として表示することも可能である。図６に示すように、結果表示領域１４０内に、総合検査結果表示領域１４９を設けた画面を表示装置１２に表示させることにより、被検体Ｒの全体的な放射性物質による汚染傾向を、操作者に提示することができる。
【００４７】
総合検査結果表示領域１４９には、例えば、複数の被検体Ｒの検査結果を、放射能濃度範囲を所定数値ごとに数段階に区分して、各段階に区分される被検体Ｒの数を集計した棒グラフや、放射能濃度の平均値および最大値などの情報が表示される。また、図６の画面には、結果表示変更ボタン表示領域１３４が設けられており、操作者が入力装置１５を用いて、結果表示変更ボタン表示領域１３４内に左右対象に配置された三角図形で示された移動ボタンを操作することにより、例えば、総合検査結果表示領域１４９に、検査ユニットＵごとの検査結果を集計した内容を順次表示させることができる。
【００４８】
このように、この考案に係る放射能検査装置においては、複数の検査ユニットＵを備えることから、一度に多数の被検体Ｒを検査することが可能であるとともに、各検査ユニットＵでの検査結果を、１台の表示装置１２の同一画面上に表示できることから、重量が軽い野菜や果実などの大量の農産物を効率的に検査することが可能となる。このため、農産物に対して包装単位で全てスクリーニング検査を実行する場合においても、検査を従来よりも短時間で完了することが可能となる。
【００４９】
また、この考案に係る放射能検査装置においては、複数の検査ユニットＵに対して、個別に検査開始と停止を指令できる構成を備えることから、被検体Ｒが少量の場合には、１の検査ユニットＵのみで検査を行うこともできる。
【００５０】
さらに、この考案に係る放射能検査装置においては、各被検体Ｒの検査結果を、印刷装置３０に出力可能に構成できることから、検査の合否により、市場に出荷可能であるか否かの識別標識を、被検体Ｒごとに容易に付すことが可能となる。
【符号の説明】
【００５１】
１１      コンピュータ
１２      表示装置
１３      マウス
１４      キーボード
１５      入力装置
２１      筐体
２２      載置台
２３      放射線検出器
１１１    データ受信部
１１２    判定部
１１３    表示制御部
１１４    計測制御部
１１５    印刷制御部
１１６    記憶部
Ｒ      被検体
Ｕ      検査ユニット
【図１】
0003183084.tif 000003
【図２】
0003183084.tif 000004
【図３】
0003183084.tif 000005
【図４】
0003183084.tif 000006
【図５】
0003183084.tif 000007
【図６】
0003183084.tif 000008